(57)【要約】【課題】時計のテンプ受のための調整器ポインタが常に反力ばねによって調整ねじに確実に押し付けられるようにする調整器ポインタの微調整装置を得る。【解決手段】割り出し調整器３を調整器軸線の周りに回動自在に取り付けたテンプ受け１を有する時計の調整器ポインタ５のための微調整装置であって、時計の振動系のゼンマイばねの有効長さを変更するためのゼンマイばねキーを有するテンプ受け１と、調整器ポインタ５と、弾性アーム１１として形成した反力ばね８とを具え、テンプ受け１、またはテンプ受け１に連結した構成部材のねじ孔にねじ込みんだ調整ねじ１４に対して、反力ばね８によって調整器ポインタ５押し付けるようにした調整器ポインタの微調整装置において、弾性アーム１１に押し下げ部２０を設け、この押し下げ部２０を、テンプ受け１に対して離間および／または接近する調整器ポインタ５に位置決めする。【選択図】図１
2004361389.tif 000002
【特許請求の範囲】
【請求項１】
割り出し調整器を調整器軸線の周りに回動自在に取り付けたテンプ受けを有する時計の調整器ポインタのための微調整装置であって、
時計の振動系のゼンマイばねの有効長さを変更するためのゼンマイばねキーを前記調整器軸線から半径方向に離して割り出し調整器に配置したテンプ受けと、
半径方向に指向する調整器ポインタと、
弾性アームとして形成し、一方のアーム端部をテンプ受けに固定し、他方のアーム遊端により予応力で調整器ポインタの回動方向にこの調整器ポインタを調整ねじに衝合するよう押圧する反力ばねと
を具え、前記調整ねじをテンプ受け、またはテンプ受けに連結した構成部材のねじ孔にねじ込み、反力ばねによって調整器ポインタの回動方向とは反対方向に力を加えるようにした調整器ポインタの微調整装置において、
弾性アーム（１１）に、前記調整器軸線の軸線方向に位置決めすることができる押し下げ部（２０）を設け、この押し下げ部（２０）を、テンプ受け（１）に対して離間および／または接近する調整器ポインタ（５）に位置決めした
ことを特徴とする調整器ポインタの微調整装置。
【請求項２】
弾性アーム（１１）は、押し下げ部（２０）を介して、下方に指向する予応力で調整器ポインタ（５）を調整器軸線に対して軸線方向に位置決めする構成とした請求項１記載の調整器ポインタの微調整装置。
【請求項３】
弾性アーム（１１）の遊端を、調整器ポインタ（５）の長手方向に対してほぼ凸状をなすよう湾曲する作用部（１２）を介して前記調整器ポインタ（５）に衝合させた請求項１または２記載の調整器ポインタの微調整装置。
【請求項４】
前記押し下げ部（２０）を前記弾性アーム（１１）の端部領域、特に、作用部（１２）の領域に設けた請求項１乃至３のうちのいずれか一項に記載の調整器ポインタの微調整装置。
【請求項５】
前記作用部（１２）および押し下げ部（２０）を互いに軸線方向に段差をなすように設け、前記押し下げ部（２０）を、作用部（１２）よりも調整器ポインタ（５）の方向に向かって一層突出させた請求項１乃至４のうちのいずれか一項に記載の調整器ポインタの微調整装置。
【請求項６】
前記弾性アーム（１１）の押し下げ部（２０）に対向する調整器ポインタ（５）の側面に窪み（２１）を設け、この窪み（２１）に押し下げ部（２０）を突入させた請求項１乃至５のうちのいずれか一項に記載の調整器ポインタの微調整装置。
【請求項７】
調整ポインタ（５）および弾性アーム（１１）を、ほぼ調整器軸線に直交する同一平面上にそれぞれ配置した請求項１乃至６のうちのいずれか一項に記載の調整器ポインタの微調整装置。
【請求項８】
前記反力ばね（８）の弾性アーム（１１）を、調整器ポインタ（５）の長手方向軸線に対してほぼ凹状をなすよう延在させた請求項１乃至７のうちのいずれか一項に記載の調整器ポインタの微調整装置。
【請求項９】
反力ばね（８）のテンプ受け（１）に固定する側の端部から突出する保持部（１０）を設け、この保持部（１０）を、押し下げ部（２０）とは反対側の弾性アーム（１１）の端部に連結した請求項８記載の調整器ポインタの微調整装置。
【請求項１０】
前記保持部（１０）を、前記テンプ受け（１）に固定した端部から、ほぼ前記調整器ポインタ（５）の回動方向（１３）に、調整器ポインタ（５）の先端部（６）の回動領域に向けて突出させた請求項９記載の調整器ポインタの微調整装置。
【請求項１１】
前記テンプ受け（１）の調整器ポインタ（５）に対向する側の側面に、前記調整器ポインタ（５）および前記反力ばね（８）を配置する窪み（７）を設け、これら調整器ポインタ（５）および反力ばね（８）が調整器軸線に直交する平面内で移動することができるようにした請求項１乃至１０のうちのいずれか一項に記載の調整器ポインタの微調整装置。
【請求項１２】
前記ねじ孔（１５）は、テンプ受け（１）の窪み（７）の側壁（１６）で前記調整ねじ（１４）を収容するよう設計した請求項１１記載の調整器ポインタの微調整装置。
【請求項１３】
前記調整ねじ（１４）を収容するねじ孔に直接隣接し、調整器軸線に関して軸線方向に延在して止めねじ（１８）を収容するねじ孔（１７）を設け、この止めねじ（１８）のねじヘッド（１９）により調整ねじ（１４）に対してクランプ作用を加えるようにした請求項１２記載の調整器ポインタの微調整装置。
【発明の詳細な説明】
【技術分野】
【０００１】
本発明は、割り出し調整器を調整器軸線の周りに回動自在に取り付けたテンプ受けを有する時計の調整器ポインタのための微調整装置であって、
時計の振動系のゼンマイばねの有効長さを変更するためのゼンマイばねキーを前記調整器軸線から半径方向に離して割り出し調整器に配置したテンプ受けと、
半径方向に指向する調整器ポインタと、
弾性アームとして形成し、一方のアーム端部をテンプ受けに固定し、他方のアーム遊端により予応力で調整器ポインタの回動方向にこの調整器ポインタを調整ねじに衝合するよう押圧する反力ばねと
を具え、前記調整ねじをテンプ受け、またはテンプ受けに連結した構成部材のねじ孔にねじ込み、反力ばねによって調整器ポインタの回動方向とは反対方向に力を加えるようにした調整器ポインタの微調整装置に関するものである。
【背景技術】
【０００２】
このような微調整装置の弾性アームおよび／または調整器ポインタは、時計部品の総寸法を考慮して薄い厚さにすることがよくあり、この場合、時計に比較的大きな衝撃が加わると、反力ばねが振動し、また調整器ポインタから軸線方向に浮き上がることが生じ、調整器ポインタが調整ねじとの衝合関係から保持されなくなる。
【発明の開示】
【発明が解決しようとする課題】
【０００３】
従って、本発明の目的は、調整器ポインタが常に反力ばねによって調整ねじに確実に押し付けられるようにする調整器ポインタの微調整装置を得るにある。
【課題を解決するための手段】
【０００４】
この目的を達成するため、本発明調整器ポインタの微調整装置は、前記調整器軸線の軸線方向に位置決めすることができる押し下げ部を弾性アームに設け、この押し下げ部を、テンプ受けに対して離間および／または接近する調整器ポインタに位置決めしたことを特徴とする。
【発明の効果】
【０００５】
この構成によれば、構成部材を追加することなく、調整器ポインタが反力ばねから軸線方向に移動して外れることが防止される。このとき、調整器ポインタがテンプ受けの表面上に軸線方向に休止する場合に必要なことは、押し下げ部が調整器ポインタのテンプ受けとは反対側の側面に圧着するだけである。すなわち、反対方向への振動は、テンプ受けに衝合することによって防止されるからである。
【発明を実施するための最良の形態】
【０００６】
弾性アームが調整器ポインタから浮き上がる状況を回避するためには、弾性アームは、押し下げ部を介して、下方に指向する予応力で調整器ポインタを調整器軸線に対して軸線方向に位置決めする構成とすると好適である。
【０００７】
調整器ポインタが信頼性の高い線形の作用力を受けるようにするためには、弾性アームの遊端を、調整器ポインタの長手方向に対してほぼ凸状をなすよう湾曲する作用部を介して前記調整器ポインタに衝合させると好適である。
【０００８】
弾性アームの遊端領域は、常に調整器ポインタに衝合するか、または調整器ポインタの近傍に位置するため、前記押し下げ部を前記弾性アームの端部領域、特に、作用部の領域に設けると好適である。この構成により、押し下げ部の寸法を小さく維持することができる。
【０００９】
好適には、作用部および押し下げ部を調整器軸線からほぼ同一半径距離だけ離して配置し、互いに軸線方向に段差をなすように設け、前記押し下げ部を、作用部よりも調整器ポインタの方向に向かって一層突出させる。
【００１０】
弾性アームの押し下げ部に対向する調整器ポインタの側面に窪みを設け、この窪みに押し下げ部を突入させると、弾性アームは、調整器ポインタの平面から僅かに軸線方向に突出し、余分な設置空間を必要としないため好適である。
【００１１】
調整ポインタおよび弾性アームを、ほぼ調整器軸線に直交する同一平面上にそれぞれ配置すると、全体寸法を小さくすることができる。
【００１２】
反力ばねの弾性アームを、調整器ポインタの長手方向軸線に対してほぼ凹状をなすよう延在させると、弾性アームの弾性は有利な挙動を有するようになる。
【００１３】
好適には、反力ばねのテンプ受けに固定する側の端部から突出する保持部を設け、この保持部を、押し下げ部とは反対側の弾性アームの端部に連結する。
【００１４】
保持部を、テンプ受けに固定した端部から、ほぼ調整器ポインタの回動方向に、調整器ポインタの先端部の回動領域に向けて突出させると、調整器ポインタが反力ばねによって受ける作用力の方向および大きさが、調整器ポインタの異なる回動位置でほぼ同一になって好適である。同時に、反力ばねの設置に必要な空間は僅かで済む。
【００１５】
同様に、設置空間を減少するためには、テンプ受けの調整器ポインタに対向する側の側面に、調整器ポインタおよび前記反力ばねを配置する窪みを設け、これら調整器ポインタおよび反力ばねが調整器軸線に直交する平面内で移動することができるようにする。
【００１６】
調整ねじを収容するねじ孔をテンプ受けの窪みの側壁に形成すると、調整ねじを収容するためのねじ孔をテンプ受けに連結する他の部材を必要としないで済む。
【００１７】
調整ねじを調整位置に固定するため、調整ねじを収容するねじ孔に直接隣接し、調整器軸線に関して軸線方向に延在して止めねじを収容するねじ孔を設け、この止めねじのねじヘッドにより調整ねじに対してクランプ作用を加えるようにすると、好適である。
【００１８】
次に、図面につき本発明の好適な実施例を説明する。
【実施例】
【００１９】
図示の微調整装置は、円筒形の隆起部２を有するテンプ受け１を有し、この円筒形の隆起部２は、調整器軸線を画定するものであり、かつ環状の軸受部４を介して割り出し調整器３を回動自在に取り付けるものである。
【００２０】
割り出し調整器３には、環状の軸受部４に対して半径方向に突出して遊端に先端部６を有する調整器ポインタ５を設ける。調整器ポインタ５は、テンプ受け１にチャンバをなすよう窪ませた窪み７内に突出する。
【００２１】
隆起部２に対して半径方向に対向する側の窪み７の端部領域で、反力ばね８の一方の端部を２個のねじ９によってテンプ受け１に固定する。テンプ受け１にねじ止めした反力ばね８の端部を起点とするアーム状の保持部１０を、ほぼ調整器ポインタ５の回動方向に向かって調整器ポインタの先端部６よりも調整器ポインタ回動の半径方向外側に位置するよう突出させる。
【００２２】
この保持部１０に一体に連続する弾性アーム１１を設け、この弾性アーム１１は、調整器ポインタ５の長手方向に対してほぼ凹状となるよう延在させ、かつこの調整器ポインタ５の平面とほぼ同一平面上に位置させる。弾性アーム１１の遊端には、調整器ポインタ５の長手方向に対してほぼ凸状となるよう湾曲させた作用部１２を設け、この作用部１２を調整器ポインタ５の方向に指向させかつこの調整器ポインタに衝合し、反力ばね８が調整器ポインタの回動方向１３に対して予応力を加えるようにする。このようにして、調整器ポインタ５は、反力ばね８の作用の方向に対向するよう指向する調整ねじ１４の端部に対して衝合関係となるように保持される。
【００２３】
調整ねじ１４は、テンプ受け１の窪み７における側壁１６に形成したねじ孔１５にねじ込んで配置し、調整ねじ１４の端部を窪み７内に突入させ、調整器ポインタ５を位置決めする作用を行う。
【００２４】
さらに、止めねじ１８を収容するねじ孔１７を、ねじ孔１５の長手方向に交差する方向にこのねじ孔１５に並んで形成し、止めねじ１８のねじヘッド１９が調整ねじ１４に対してほぼ接線方向に延在してクランプ作用を加えるようにする。
【００２５】
弾性アーム１１の厚さの一部にわたり、弾性アームの凸状に湾曲する作用部１２を越えてやはり凸状に湾曲した押し下げ部２０を段差を付けて突出させ、この弾性アーム１１の押し下げ部２０に対向する側の調整器ポインタ５の側面に形成した窪み２１に押し下げ部２０を突入させる。調整器ポインタ５は、窪み７の底面２２から浮き上がらないように保持される。
【００２６】
弾性アーム１１は窪み７の底面２２の方向にも僅かに予応力を生ずるようにしてあるため、調整器ポインタ５は、比較的大きな衝撃があっても窪み７の底面２２から浮き上がることはない。この底面２２は、同時に、調整器ポインタ５が底面２２の方向に移動する際の止め部をなす。
【図面の簡単な説明】
【００２７】
【図１】微調整装置の線図的平面図である。
【図２】図１の微調整装置の反力ばねの平面図である。
【図３】図２の反力ばねの側面図である。
【図４】図２の反力ばねの底面図である。
【図５】図２の反力ばねの図２におけるＶ‐Ｖ線上の断面図である。
【図６】図１の微調整装置の割り出し調整器の平面図である。
【図７】図６の割り出し調整器の縦断面図である。
【図８】図６の割り出し調整器の平面図である。
【図９】図１の微調整装置のテンプ受けの平面図である。
【図１０】図９のテンプ受けの図９におけるＸ‐Ｘ線上の断面図である。
【符号の説明】
【００２８】
１  テンプ受け
２  隆起部
３  割り出し調整器
４  軸受部
５  調整器ポインタ
６  先端部
７  窪み
８  反力ばね
９  ねじ
１０  保持部
１１  弾性アーム
１２  作用部
１３  回動方向
１４  調整ねじ
１５  ねじ孔
１６  側壁
１７  ねじ孔
１８  止めねじ
１９  ねじヘッド
２０  押し下げ部
２１  窪み
２２  底面
【図１】
2004361389.tif 000003
【図２】
2004361389.tif 000004
【図３】
2004361389.tif 000005
【図４】
2004361389.tif 000006
【図５】
2004361389.tif 000007
【図６】
2004361389.tif 000008
【図７】
2004361389.tif 000009
【図８】
2004361389.tif 000010
【図９】
2004361389.tif 000011
【図１０】
2004361389.tif 000012
【手続補正書】
【提出日】平成16年4月2日(2004.4.2)
【手続補正１】
【補正対象書類名】図面
【補正対象項目名】全図
【補正方法】変更
【補正の内容】
【図１】
2004361389.tif 000013
【図２】
2004361389.tif 000014
【図３】
2004361389.tif 000015
【図４】
2004361389.tif 000016
【図５】
2004361389.tif 000017
【図６】
2004361389.tif 000018
【図７】
2004361389.tif 000019
【図８】
2004361389.tif 000020
【図９】
2004361389.tif 000021
【図１０】
2004361389.tif 000022